(57)【要約】【課題】  主要部品を共有化することにより、１台の機器で空気清浄機又は布団乾燥機として使用できる空気清浄機兼布団乾燥機を提供すること。【解決手段】  一端に吹出口を有する通風路と、前記通風路に空気を送風する送風機２４と、前記通風路内に設けられ、前記送風機２４から送風された空気を加熱するヒータ２５と、前記ヒータをオン・オフする開閉機構２９と、これらの機器等を収容し側壁にフィルター４０を付設した吸気口を有する本体ケース２０と、を備え、  布団乾燥時は、前記開閉機構２９により前記ヒータ２５をオンにして前記送風機２４からの空気を加熱して前記通風路の吹出口から温風を送風して布団乾燥を行い、空気清浄時は、前記ヒータ２５をオフにして前記送風機２４からの空気を前記フィルター４０で濾過して前記通風路の吹出口から洗浄空気を送風して空気清浄を行う空気清浄機兼布団乾燥機。【選択図】      図１
2005349057.tif 000002
【特許請求の範囲】
【請求項１】
一端に吹出口を有する通風路と、
前記通風路に空気を送風する送風機と、
前記通風路内に設けられ、前記送風機から送風された空気を加熱するヒータと、
前記ヒータをオン・オフする開閉機構と、
これらの機器等を収容し側壁にフィルターを付設した吸気口を有する本体ケースと、
を備え、
布団乾燥時は、前記開閉機構により前記ヒータをオンにして前記送風機からの空気を加熱して前記通風路の吹出口から温風を送風して布団乾燥を行い、空気清浄時は、前記ヒータをオフにして前記送風機からの空気を前記フィルターで濾過して前記通風路の吹出口から洗浄空気を送風して空気清浄を行うことを特徴とする空気清浄機兼布団乾燥機。
【請求項２】
前記通風路は、所定の太さを有するダクトとこのダクトに接続された伸縮自在で屈曲性を有するホースとからなり、前記ホースの出口端部は、布団乾燥用のホース又は洗浄空気吹出し用のホース端に着脱自在な接続手段により接続されることを特徴とする請求項１記載の空気清浄機兼布団乾燥機。
【請求項３】
前記洗浄空気吹出し用ホース接続部には、開閉機構を付設し、前記ホース出口端部との接続の際に、前記開閉機構を作動させて前記ヒータをオフにすることを特徴とする請求項２記載の空気清浄機兼布団乾燥機。
【請求項４】
前記本体ケースは、上方に開口部及び所定の深さを有する有底の容器からなり、前記容器は、側周壁に所定の幅及び長さを有する複数本のスリットを形成し、これらのスリットは、前記容器の内側からフィルターで塞がれていることを特徴とする請求項１記載の空気清浄機兼布団乾燥機。
【請求項５】
前記本体ケースは、上方に開口部を設け、この開口部は開閉自在な蓋体で覆われることを特徴とする請求項１記載の空気清浄機兼布団乾燥機。
【請求項６】
前記蓋体には、所定の幅及び長さを有する複数本のスリットを形成し、これらのスリットから洗浄空気が吹出されることを特徴とする請求項５記載の空気清浄機兼布団乾燥機。
【請求項７】
前記蓋体は、浅底の容器からなり、この容器内に洗浄空気を整流する整流板が設けられていることを特徴とする請求項５又は６に記載の空気清浄機兼布団乾燥機。
【発明の詳細な説明】
【技術分野】
【０００１】
本発明は、空気清浄機兼布団乾燥機に係り、詳しくは、１台の機器で空気清浄機又は布団乾燥機として使用できる空気清浄機兼布団乾燥機に関する。
【背景技術】
【０００２】
布団乾燥機及び空気清浄機は、それぞれ別々に商品化され市販されて、一般家庭で広く使用されており、特許文献でも紹介されている（例えば、特許文献１、２参照）。
【０００３】
例えば、下記特許文献１に開示されている寝具等の乾燥機６０は、図４に示すように電動機６２により駆動される送風機６３と、この送風機６３の通気部６４に取り付けられた電気ヒータ６５及び先端がケース外に突出した温風出口６６とにより形成されている。
【０００４】
また、下記特許文献２に開示されている空気清浄機７０は、図５に示すように、製品本体７１の前面には室内の空気を吸い込む吸込口７２と、この背面にプリフィルター７３と、目の細かな高性能フィルター７７が組み込まれ、さらに集塵用送風機７８が通風路７９内に設けられており、また、製品本体７１の天面には吹出口７４を備えている。この空気清浄機７０は製品本体７１の前面から室内の空気を吸い込み、比較的大きなゴミはプリフィルター７３で除去し、細かなほこりは前記高性能フィルター７７で除去し、清浄空気として本体上面の吹き出し口７４より室内に放出するようになしている。
【特許文献１】実公昭６１−２７５８７号公報（図１、第１頁）
【特許文献２】特開平５−３０９２２２号公報（図１、段落〔００１４〕）
【発明の開示】
【発明が解決しようとする課題】
【０００５】
ところが、布団乾燥機は、布団を乾燥するだけの用途に限定され、その使用時期は概ね冬季に限られ、その他の季節にあまり使用されることなく押入れに等に保管されている。一方、この布団乾燥機に比べて、空気清浄機は、最近の空気汚染が進むのにつれて、その使用頻度が高くなってきている。
【０００６】
そして、布団乾燥機及び空気清浄機は、それぞれ別物であって異なる機能を奏するものであることから、一般家庭では、それぞれの機器が別々に備えられている。しかし、両機器を個別に購入し備えておくと、それらの使用頻度からみて、一方が極めて少なく、他方が多く使用頻度で非効率となっている。また、両機器はその不使用時に保管場所の工面が必要であり、良好な保管状態の維持及びメンテナンスが必須となっている。
【０００７】
そこで、本願の発明者は、布団乾燥機と空気清浄機とを比べてみると、両機器の主要部品、特に送風機が共通していることから、この主要部品を兼用すれば１台の機器で布団乾燥機及び空気清浄機を作製することができることから、兼用し得る構成を種々検討した結果、本発明を完成するに至ったものである。
【０００８】
すなわち、本発明の目的は、主要部品を共有化することにより、１台の機器で空気清浄機又は布団乾燥機として使用できる空気清浄機兼布団乾燥機を提供することにある。
【課題を解決するための手段】
【０００９】
上記目的を達成するために、請求項１に記載の空気清浄機兼布団乾燥機の発明は、一端に吹出口を有する通風路と、
前記通風路に空気を送風する送風機と、
前記通風路内に設けられ、前記送風機から送風された空気を加熱するヒータと、
前記ヒータをオン・オフする開閉機構と、
これらの機器等を収容し側壁にフィルターを付設した吸気口を有する本体ケースと、
を備え、
布団乾燥時は、前記開閉機構により前記ヒータをオンにして、前記送風機からの空気を加熱して前記通風路の吹出口から温風を送風して布団乾燥を行い、空気清浄時は、前記ヒータをオフにして、前記送風機からの空気を前記フィルターで濾過して前記通風路の吹出口から洗浄空気を送風して空気清浄を行うことを特徴とする。
【００１０】
また、請求項２に記載の発明は、請求項１に記載の空気清浄機兼布団乾燥機に係り、前記通風路は、所定の太さを有するダクトとこのダクトに接続された伸縮自在で屈曲性を有するホースとからなり、前記ホースの出口端部は、布団乾燥用のホース又は洗浄空気吹出し用のホース端に着脱自在な接続手段により接続されることを特徴とする。
【００１１】
また、請求項３に記載の発明は、請求項２に記載の空気清浄機兼布団乾燥機に係り、前記洗浄空気吹出し用ホース接続部には、開閉機構を付設し、前記ホース出口端部との接続の際に、前記開閉機構を作動させて前記ヒータをオフにすることを特徴とする。
【００１２】
また、請求項４に記載の発明は、請求項１に記載の空気清浄機兼布団乾燥機に係り、前記本体ケースは、上方に開口部及び所定の深さを有する有底の容器からなり、前記容器は、側周壁に所定の幅及び長さを有する複数本のスリットを形成し、これらのスリットは、前記容器の内側からフィルターで塞がれていることを特徴とする。
【００１３】
また、請求項５に記載の発明は、請求項１に記載の空気清浄機兼布団乾燥機に係り、前記本体ケースは、上方に開口部を設け、この開口部は開閉自在な蓋体で覆われることを特徴とする。
【００１４】
また、請求項６に記載の発明は、請求項５に記載の空気清浄機兼布団乾燥機に係り、前記蓋体には、所定の幅及び長さを有する複数本のスリットを形成し、これらのスリットから洗浄空気が吹出されることを特徴とする。
【００１５】
また、請求項７に記載の発明は、請求項５又は６に記載の空気清浄機兼布団乾燥機に係り、前記蓋体は、浅底の容器からなり、この容器内に洗浄空気を整流する整流板が設けられていることを特徴とする。
【発明の効果】
【００１６】
請求項１の発明によれば、１個の送風機を使用し、開閉機構によりヒータをオン・オフすることにより、布団乾燥機又は空気清浄機としての使用が可能になる。したがって、１台の機器で空気清浄機及び布団乾燥機を兼用できるので、機能の異なる機器をそれぞれ備える必要がなく、使用頻度が比較的低かった布団乾燥機を空気清浄機に兼用して、その使用頻度を高め効率よく使用することが可能になる。
【００１７】
請求項２の発明によれば、ホースの出口端部を布団乾燥用のホース又は洗浄空気吹出し用のホースに接続する簡単な接続操作により、布団乾燥機又は空気清浄機としての使用が可能になる。
【００１８】
請求項３の発明によれば、請求項２の効果に加え、また、ホースの出口端部を洗浄空気吹出し用ホースに接続すると、ヒータがオフになるので、空気洗浄時に誤ってヒータがオンとなり、温風が送風されることがなくなる。
【００１９】
請求項４の発明によれば、本体ケースの外周囲に複数本のスリットが形成され、これらのスリットはフィルターで塞がれているので、本体ケースの外周囲から大量の空気を吸引し、フィルターで濾過できるので、空気洗浄を効率的にスピードアップすることが可能になる。
【００２０】
また、布団乾燥時にも空気はスリットから吸気されており、このスリットにはフィルターが装着されているので、吸気の際に塵、ほこり等がフィルターで取り除かれて洗浄された温風が布団内へ送風される。したがって、この空気の循環を繰り返すことにより、布団内をも空気洗浄することができる。
【００２１】
請求項５の発明によれば、本体ケース内にヒータ、送風機、ホース等を収納し、蓋体で覆うことができる。したがって、ホース等が本体ケースから飛び出すことがなく、また、本体ケースの開口部を蓋体で閉じた状態でも空気洗浄が可能になる。
【００２２】
請求項６の発明によれば、本体ケースの開口部を蓋体で覆った状態で、蓋体のスリットから洗浄空気を吹出させることができる。したがって、体裁がよくコンパクトな空気清浄機としての使用が可能になる。
【００２３】
請求項７の発明によれば、蓋体内の整流板で洗浄空気を整流して蓋体のスリットからほぼ均等に外周囲へ吹出させることが可能になる。
【発明を実施するための最良の形態】
【００２４】
以下、図面を参照して本発明の最良の実施形態を説明する。但し、以下に示す実施形態は、本発明の技術思想を具体化するための空気清浄機兼布団乾燥機を例示するものであって、本発明をこの空気清浄機兼布団乾燥機に特定することを意図するものではなく、特許請求の範囲に含まれるその他の実施形態のものも等しく適応し得るものである。
【実施例】
【００２５】
図１は、本発明の一実施例に係る空気清浄機兼布団乾燥機を示し、図１（ａ）は断面図、図１（ｂ）は蓋体が開いた状態の一側面図、図２は布団乾燥機として使用した場合の断面図、図３は、空気清浄機としての使用を示し、図３（ａ）は断面図、図３（ｂ）は一側面図である。なお、図３（ｂ）はフィルターが見えるように本体ケースの一部が切除されている。
【００２６】
本実施例の空気清浄機兼布団乾燥機１０は、図１に示すように、温風発生機構Ａ及び空気清浄機構Ｂを収容した本体ケース２０と、この本体ケース２０の開口部を覆う蓋体３０とからなり、この蓋体３０は本体ケース２０に開閉自在に装着されている。
【００２７】
本体ケース２０は、上方に開口部２２を有する比較的深底の箱状体２１からなり、その外周壁に複数本の縦のスリット２３が形成されている。これらのスリット２３は、吸気口となるもので、本体ケース２０の全ての外周壁面に設けるのが好ましい。また、これらのスリットを塞ぐようにして内周壁面には、図３（ｂ）に示すようにフィルター４０が取り付けられる。
【００２８】
このフィルター４０は、外気を吸い込む際に、外気に混入している塵、ゴミ等を除去するもので、公知の種々のフィルターが使用される。
【００２９】
また、本体ケース２０には、その底部に空気を送風するファン２４、このファン２４を回すモータ（図示省略）、空気を加熱するヒータ２５が収納されている。これらのファン２４、モータ、ヒータ２５は、温風発生機構Ａ及び空気清浄機構Ｂの主要部品となり、うち、ファン２４及びモータは、両機構の共通部品となっている。
【００３０】
ファン２４の出口には、ヒータ２５及びダクト２６が接続されており、ファン２４の出口、ヒータ２５を覆う管体２５１及びダクト２６によりファン２４からの空気を送風する通風路が形成されている。
【００３１】
ダクト２６の先端部には、所定長さのホース２７が接続される。このホース２７は伸縮及び屈曲自在な管体からなり、折り畳んだ状態で本体ケース２０内に収まる長さになっている。このホースの両端部には、接続部２７１、２７２が設けられ、接続部２７１はダクト２６に接続され、他の接続部２７２は、用途に応じて、異なるホースに接続される。
【００３２】
すなわち本実施例の空気清浄機兼布団乾燥機１０を、布団乾燥機として使用するときは、先端にシート５１の付いたホース５０と接続され、空気清浄機として使用するときは、他のホース２８に接続される。
【００３３】
本体ケース２０の開口部２２の一端部には、図２に示すように、ほぼＬ字状のホース２８を装着する。このホース２８は、ホース２７と同じ径を有する管体からなり、一端部にホース２７の接続部２７２と連結する接続部２８１が形成され、他端部２８２は開口している。この開口部は、洗浄空気の吹出口となる。接続部２８１は、その外周面の一部にヒータ２５をオン・オフする開閉機構２９、例えばスライド式のスイッチが設けられる。このスイッチは接続部２８１を構成する管体の外周壁に埋め込んでおき、ホース２７の接続部２７２が差し込まれたとき、このスイッチを作動させ、ヒータ電源が切断されるようにする。また、接続部は、差込接続でなく、他の公知の接続手段を用いてもよい。
【００３４】
蓋体３０は、本体ケース２０の開口部とほぼ同じ大きさの開口３２を底部に有し、比較的底浅の箱状体３１からなり、開口部３２の一端部で本体ケース２０の開口部端に回動自在な固定手段３３により固定され、この蓋体３０により本体ケースの開口部２２を開閉できるようになっている。蓋体３０は、その上部の一端に、操作パネル３４が装着され、また吹出口３６が設けられている。この吹出口３６は、複数本のスリットで形成される。
【００３５】
この操作パネル３４には、ファンの回転数を設定する設定手段、設定及び状態表示等を行う表示手段、ヒータをオン・オフする切り替え手段、及びタイマー等が付設されている。なお、このような操作パネル３４は公知のものを使用するので、その説明を省略する。
【００３６】
また、蓋体３０は、その内部に洗浄空気の流れを調整する整流手段３５を設けるのが好ましい。この整流手段３５は、例えば、内壁面に設けた複数枚の突片からなる。
【００３７】
以下に、上記のようにして構成した空気清浄機兼布団乾燥機を布団乾燥機又は空気清浄機としての使用方法を説明する。
【００３８】
布団乾燥機として使用する場合、図１に示すように、蓋体３０を開け、本体ケース２０内からホース２７を取り出し、本体ケース２０の一側壁から外部へ導出し、ホース２７の接続部２７２に先端にシート５１が付設されたホース５０を接続し（図２参照）、シート５１を布団（図示省略）内に挿入する。次いで、操作パネル３４で設定温度、風量及び時間等を設定し、電源をオンにして、ファン２４からの空気をヒータ２５で加熱して、温風を布団内へ供給して布団を乾燥する。また、このように布団乾燥を行う際においても、空気はスリット２３から吸気され、スリット２３にはフィルター４０が装着されているので、吸気の際に塵、ほこり等がフィルターで取り除かれて洗浄された温風が布団内へ送風される。したがって、この空気の循環を繰り返すことにより、布団内をも空気洗浄することができる。
【００３９】
また、空気清浄機として使用する場合は、ホース２７を屈曲してその接続部２７２をホース２８の接続部２８１へ差し込む。この差し込みより、開閉機構２９が作動され、操作パネル３４上でヒータ２５がオンに設定されていても、ヒータ２５の電源がオフにされる。この電源操作は、例えばヒータ２５とヒータ電源（図示省略）との間に開閉機構２９によって電源操作される開閉手段を挿入することによって達成できる。
【００４０】
次いで、蓋体３０で本体ケース２０の開口部２２を覆い、操作パネル３４で所定の設定、例えば、風量、時間等を設定し、電源をオンにする。この電源のオンにより、ファン２４が回転し、本体ケース２０の複数個のスリット２３から空気を吸い込むと同時に、フィルター４０でゴミ、塵等を取り除き、ダクト２６、ホース２７、２８を通過して、ホース２８の吹出口２８１から蓋体３０内に吹出される。蓋体３０内に吹出された洗浄空気は、整流板３５で整流され、吹出口３６から外へ送風される。送風された空気は、再び、吸気口２３から吸い込まれ、同じ経路を通って洗浄され、この循環が繰り返される。
【００４１】
上述のように本発明の空気清浄機兼布団乾燥機によれば、ホースの接続を変更するだけで、空気清浄機機能と布団乾燥機機能を変更することができ、よって１台の機器で前記両機能を達成可能な空気清浄機兼布団乾燥機を提供することができるようになる。
【図面の簡単な説明】
【００４２】
【図１】本発明の一実施例に係る空気清浄機兼布団乾燥機を示し、図１（ａ）は断面図、図１（ｂ）は蓋体が開いた状態の一側面図、
【図２】布団乾燥機として使用した場合の断面図、
【図３】空気清浄機としての使用を示し、（ａ）は断面図、（ｂ）は一側面図、
【図４】従来の寝具等の乾燥機を示す図、
【図５】従来の空気清浄機を示す図。
【符号の説明】
【００４３】
１０        空気清浄機兼布団乾燥機
２０        本体ケース
２２        開口部
２３        吸気口（スリット）
２４        送風機（ファン）
２５        ヒータ
２６        ダクト
２７、２８  ホース
２９        開閉機構
３０        蓋体
３２        開口部
３４        操作パネル
４０        フィルター
【図１】
2005349057.tif 000003
【図２】
2005349057.tif 000004
【図３】
2005349057.tif 000005
【図４】
2005349057.tif 000006
【図５】
2005349057.tif 000007